(57)【要約】【課題】壁内空間部が狭く仕切られてしまうのを壁厚を大きくすることなく防ぐことができ、しかも、内装板の面外変形を有効的に阻止することができる遮音間仕切り壁等の壁の構造を提供する。【解決手段】  例えば、遮音間仕切り壁を対象とする場合は、一方の室側に、張力を付与されたワイヤー５…が設けられ、該ワイヤー５…に下地板７ａ，７ｂを利用して内装板が取り付けられ、もう一方の室側にも、張力を付与されたワイヤー５…が設けられ、該ワイヤー５…に下地板７ａ，７ｂを利用して内装板が取り付けられ、一方の室側のワイヤー５…、下地板７ａ，７ｂ及び内装板が、前記もう一方の室側のワイヤー５…、下地板７ａ，７ｂ及び内装板と絶縁されている。【選択図】      図１
2007284888.tif 000002
【特許請求の範囲】
【請求項１】
一方の室側に、張力を付与された下地線材が設けられ、該下地線材に下地板を利用して内装板が取り付けられ、該下地線材、下地板及び内装板はもう一方の室側の内装板に対して絶縁されていることを特徴とする遮音間仕切り壁。
【請求項２】
一方の室側に、張力を付与された下地線材が設けられ、該下地線材に下地板を利用して内装板が取り付けられ、
もう一方の室側に、張力を付与された下地線材が設けられ、該下地線材に下地板を利用して内装板が取り付けられ、
前記一方の室側の下地線材、下地板及び内装板が、前記もう一方の室側の下地線材、下地板及び内装板と絶縁されていることを特徴とする遮音間仕切り壁。
【請求項３】
前記下地板が、手前側下地板と奥側下地板とを備え、該手前側下地板と奥側下地板が前記下地線材を前後方向から挟んでサンドイッチ状態に接合されて下地線材に取り付けられ、該下地材に内装板が接合されて取り付けられている請求項１又は２に記載の遮音間仕切り壁。
【請求項４】
壁内空間部に、両内装板の押し方向の面外変形を二次的に阻止する面外変形二次阻止材が備えられ、
該面外変形二次阻止材は、前記一方の室側の下地線材、下地板及び内装板に対して絶縁されていると共に、前記もう一方の室側の下地線材、下地板及び内装板と絶縁されている請求項２又は３に記載の遮音間仕切り壁。
【請求項５】
張力を付与された下地線材が設けられ、該下地線材に下地板を利用して内装板が取り付けられていることを特徴とする壁の構造。
【発明の詳細な説明】
【技術分野】
【０００１】
本発明は、遮音間仕切り壁及び壁の構造に関する。
【背景技術】
【０００２】
例えば遮音間仕切り壁として、間柱を千鳥状に配置し、一方に偏らされた間柱に一方の室側の内装板を取り付け、もう一方に偏らされた間柱にもう一方の室側の内装板を取り付けて、両内装板を絶縁させた遮音間仕切り壁は、従来より提供されている。
【０００３】
この遮音間仕切り壁では、内装板の面外変形が間柱で抑えられ、間柱が千鳥状に配置されていることで間仕切り壁の壁厚を薄くでき、両内装板が千鳥状配置にした間柱で絶縁されていることにより遮音性能が高められる。
【特許文献１】特開２００５−１０５６３４号公報
【発明の開示】
【発明が解決しようとする課題】
【０００４】
しかしながら、上記のような遮音間仕切り壁では、間柱で内装板の面外変形を阻止するようにしているため、間柱は壁厚方向の寸法が大きく、そのため、間柱が壁内空間部に大きく突出し、壁内空間部が間柱で狭く仕切られてしまうと共に、壁厚を大きくしてしまうという問題がある。特に、遮音性能向上のため面材層数を多くする場合は、間柱は強度上太くしなければならず、壁厚がより一層大きなものになってしまうという問題がある。
【０００５】
上記のように壁内空間部が間柱で狭く仕切られてしまうということは、例えば、耐力ブレースを壁内に入れようとする場合に、一方に偏った間柱の群ともう一方に偏った間柱の群との間にブレースを通す空間部を形成しようとすると壁厚が非常に大きなものになってしまうので入れられなかったり、間柱に設けた切欠き等を通じてブレースを通すと、切欠き等によって間柱に強度不足を生じ、内装板に面外変形を生じさせやすくなってしまうという問題などを派生する。
【０００６】
また、内装板の室内側の面部にアクセサリや造作材を容易に取り付けることができるように、間柱と内装板との間に下地板を入れると、壁厚が大きなものになってしまうという問題もある。
【０００７】
本発明は、壁内空間部が狭く仕切られてしまうのを壁厚を大きくすることなく防ぐことができ、しかも、内装板の面外変形を有効的に阻止することができる遮音間仕切り壁及び壁の構造を提供することを課題とする。
【課題を解決するための手段】
【０００８】
上記の課題は、一方の室側に、張力を付与された下地線材が設けられ、該下地線材に下地板を利用して内装板が取り付けられ、該下地線材、下地板及び内装板はもう一方の室側の内装板に対して絶縁されていることを特徴とする遮音間仕切り壁によって解決される（第１発明）。
【０００９】
この遮音間仕切り壁では、下地線材に張力が付与されているので、該下地線材によって内装板の面外変形を有効的に阻止することができる。しかも、このように張力を付与された下地線材で内装板の面外変形を阻止するようにしているので、壁内空間部が狭く仕切られてしまうのを壁厚を大きくすることなく防ぐことができる。従って、壁内空間部に耐力ブレースを入れるような場合などにおいては、それによって、壁厚が大きくなることもないし、内装板に面外変形を生じさせることもない。
【００１０】
また、内装板は下地板を利用して下地線材に取り付けられているので、内装板を容易に下地線材に取り付けることができると共に、張力を付与された線材を内装板の面外変形阻止手段としていることにより下地板を使用しても壁厚が大きくなってしまうことがなく、下地板を利用して内装板の室内側の面部にアクセサリや造作材を取り付けるような場合に、その取付けを容易に行うことができる。
【００１１】
もちろん、下地線材、下地板及び内装板はもう一方の室側の内装板に対して絶縁されているので、遮音性能も発揮される。
【００１２】
また、上記の課題は、一方の室側に、張力を付与された下地線材が設けられ、該下地線材に下地板が取り付けられ、該下地板に内装板が取り付けられ、
もう一方の室側に、張力を付与された下地線材が設けられ、該下地線材に下地板が取り付けられ、該下地板に内装板が取り付けられ、
前記一方の室側の下地線材、下地板及び内装板が、前記もう一方の室側の下地線材、下地板及び内装板と絶縁されていることを特徴とする遮音間仕切り壁によって解決される（第２発明）。
【００１３】
この遮音間仕切り壁では、特に、一方の室側ともう一方の室側の両方に、下地線材、下地板及び内装板がそれぞれ備えられているので、壁内空間部が狭く仕切られてしまうのを防ぐことができ、それでいて、壁厚も非常に小さく抑えることができる。
【００１４】
第１、第２発明において、下地板が、手前側下地板と奥側下地板とを備え、該手前側下地板と奥側下地板が前記下地線材を前後方向から挟んでサンドイッチ状態に接合されて下地線材に取り付けられ、該下地材に内装板が接合されて取り付けられているとよい（第３発明）。
【００１５】
この場合は、下地板を下地線材に安定良くしっかり取り付けることができて内装板の取付けを容易にすることができ、しかも、積層による面材重量増を行うことで遮音性能の向上を図ることも可能になる。
【００１６】
また、第２，第３発明において、壁内空間部に、両内装板の押し方向の面外変形を二次的に阻止する面外変形二次阻止材が備えられ、
該面外変形二次阻止材は、前記一方の室側の下地線材、下地板及び内装板に対して絶縁されていると共に、前記もう一方の室側の下地線材、下地板及び内装板と絶縁されているのもよい（第４発明）。
【００１７】
この場合は、内装板に押し方向の強い力が作用した場合であっても、内装板は面外変形二次阻止材に直接又は間接的に支えられて、大きな面外変形を生じるのを防ぐことができる。
【００１８】
しかも、内装板の面外変形は、張力を付与された下地線材によって一次的に阻止されるので、面外変形二次阻止材は粗に分散させて設けることができ、面外変形二次阻止材によって壁内空間部が狭く仕切られてしまうのを防ぐことができる。
【００１９】
もちろん、面外変形二次阻止材は、一方の室側の下地線材、下地板及び内装板に対して絶縁されていると共に、もう一方の室側の下地線材、下地板及び内装板とも絶縁されているので、遮音性能が損なわれることもない。
【００２０】
また、上記の課題は、張力を付与された下地線材に下地板が取り付けられ、該下地板に内装板が取り付けられていることを特徴とする壁の構造によって解決される（第５発明）。
【００２１】
この壁構造では、遮音性能の有無を問わず、下地線材に張力が付与されているので、該下地線材によって内装板の面外変形を有効的に阻止することができる。しかも、このように張力を付与された下地線材で内装板の面外変形を阻止するようにしているので、壁内空間部が狭く仕切られてしまうのを壁厚を大きくすることなく防ぐことができる。また、内装板は下地板を利用して下地線材に取り付けられているので、内装板を容易に下地線材に取り付けることができると共に、張力を付与された線材を内装板の面外変形阻止手段としていることにより下地板を使用しても壁厚が大きくなってしまうことがなく、下地板を利用して内装板の室内側の面部にアクセサリや造作材を取り付けるような場合に、その取付けを容易に行うことができる。
【発明の効果】
【００２２】
本発明は、以上のとおりのものであるから、壁内空間部が狭く仕切られてしまうのを壁厚を大きくすることなく防ぐことができ、しかも、内装板の面外変形を有効的に阻止することができる。
【発明を実施するための最良の形態】
【００２３】
次に、本発明の実施最良形態を図面に基づいて説明する。
【００２４】
図１〜図５に示す第１実施形態は、遮音間仕切り壁についてのもので、遮音間仕切り壁は、図１及び図２に示すような間仕切りパネル１を用いて形成される。
【００２５】
この間仕切りパネル１は、床面側に取り付けられる下水平枠２と、天井面側に取り付けられる上水平枠３と、面外変形二次阻止材としての左右の縦向き中骨４，４とを備え、各水平枠２，３は溝形材からなっていて、中骨４，４はその端部が水平枠２，３の溝内に差し込まれている。
【００２６】
また、上下の水平枠２，３は、その一方の側の側壁同士が下地線材としての複数本のワイヤー５…で連結されると共に、もう一方の側の側壁同士も同じく下地線材としての複数本のワイヤー５…で連結され、中骨４には、図２（ハ）に示すように、ネジ式などによる伸長機構６が備えられていて、該中骨４を伸長機構６により、上下の水平枠２，３間で伸長させることで、すべてのワイヤー５…，５…に張力が付与されている。
【００２７】
そして、一方の側のワイヤー５…の群は、９ｍｍ合板などからなる手前側下地板７ａと同じく９ｍｍ合板などからなる奥側下地板７ｂとに前後方向からサンドイッチ状態に挟まれ、両下地板７ａ，７ｂはワイヤー５…間等においてビス８等により接合されて該ワイヤー５…の群に取り付けられ、また、もう一方の側のワイヤー５…の群も同様に、手前側下地板７ａと奥側下地板７ｂとに前後方向からサンドイッチ状態に挟まれ、両下地板７ａ，７ｂはワイヤー５…間等においてビス８等により接合されて該ワイヤー５…の群に取り付けられている。９はグラスウール等による吸音材である。
【００２８】
この間仕切りパネル１において、中骨４と奥側下地板７ｂ，７ｂとは、図２（イ）に示すように、離間することで絶縁されており、それらの間にはクッション材１０，１０が、非圧縮状態で、点状配置や線状配置などにより介設されているとよい。
【００２９】
また、手前側下地板７ａと奥側下地板７ｂはいずれも、下水平枠２から上方に離間していると共に、上水平枠３から下方に離間しており、それらの間の開口部を通じて、上下の水平枠２，３を床面側と天井面側に取り付けることができるようになされている。
【００３０】
更に、奥側下地板７ｂは手前側下地板７ａから上下両方向に張り出しており、また、奥側下地板７ｂの左右一方の側は手前側下地板７ａから外方に張り出し、もう一方の側は手前側下地板７ａが奥側下地板７ｂから外方に張り出している。
【００３１】
遮音間仕切り壁は、この間仕切りパネル１を用いて、次のようにして形成されている。即ち、図３（イ）に示すように、間仕切りパネル１を床面１１と天井面１２との間に立て、上下の水平枠２，３をビス８等により床面１１と天井面１２に固定する。
【００３２】
その後、図３（ロ）及び図４（ハ）に示すように、各手前側下地板７ａの上下に追加の手前側下地板７ａ，７ａを設置し、これらをビス８等により奥側下地板７ｂに取り付け、間仕切り壁の高さ方向の全体を手前側下地板７ａと追加の手前側下地板７ａ，７ａとでカバーした状態にする。
【００３３】
奥側下地板７ｂは手前側下地板７ａから上下両方向に張り出しているので、追加の手前側下地板７ａ，７ａは、手前側下地板７ａと突き合わせ状態にし、その背後に存する奥側下地板７ｂの張り出し部に取り付ければ、手前側下地板７ａと追加の手前側下地板７ａ，７ａとを平滑に連続させることができる。なお、追加の手前側下地板７ａ，７ａと水平枠２，３とは離間し、ビス等による接合もされておらず、絶縁されており、それらの間には図示しないがクッション材を介設しておくのもよい。
【００３４】
また、図５（イ）（ロ）に示すように、左右に隣り合う間仕切りパネル１，１についても、奥側下地板７ｂの左右一方の側は手前側下地板７ａから外方に張り出し、もう一方の側は手前側下地板７ａが奥側下地板７ｂから外方に張り出しているので、左右の手前側下地板７ａ，７ａ同士を突き合わせ状態にしても、その突き合わせ部の背後には奥側下地板７ｂの張り出し部が存在し、隣り合う間仕切りパネル１，１の手前側下地板７ａ，７ａ同士をうまい具合に連続させることができる。
【００３５】
しかる後、図４（ハ）（ニ）に示すように、各室１３，１４の側から、手前側下地板７ａ，７ａを下地として、１２．５ｍｍの石膏ボードなどのよる内装板１５，１５をビス８などにより取り付ければ、遮音間仕切り壁１６が形成される。
【００３６】
上記の遮音間仕切り壁１６では、ワイヤー５…，５…に張力が付与されているので、該ワイヤー５…，５…によって内装板１５，１５の面外変形を有効的に阻止することができる。しかも、このように張力を付与されたワイヤー５…，５…で内装板１５，１５の面外変形を阻止するようにしているので、壁内空間部が狭く仕切られてしまうのを壁厚を大きくすることなく防ぐことができる。従って、図１（イ）に示すように壁内空間部に耐力ブレース１７を入れるような場合には、それによって、壁厚が大きくなることもないし、内装板１５，１５に面外変形を生じさせることもない。
【００３７】
また、内装板１５は下地板７ａ，７ｂを利用してワイヤー５…に取り付けられているので、内装板１５を容易にワイヤー５…に取り付けることができると共に、張力を付与されたワイヤー５…を内装板１５の面外変形阻止手段としていることにより下地板７ａ，７ｂを使用しても壁厚が大きくなってしまうことがなく、下地板７ａ等を利用して内装板１５の室内側の面部にアクセサリや造作材を取り付けるような場合でも、その取付けを容易に行うことができる。
【００３８】
そして、一方の室側のワイヤー５…、下地板７ａ，７ｂ及び内装板１５はもう一方の室側の内装板１５等に対して絶縁されているので、遮音性能も発揮される。
【００３９】
また、本実施形態では、手前側下地板７ａと奥側下地板７ｂがワイヤー５…を前後方向から挟んでサンドイッチ状態に接合されてワイヤー５…に取り付けられ、該手前側下地板７ａに内装板１５が接合されて、片側三層、合計六層の重量積層遮音構造に形成されているので、高い遮音性能を発揮することができる。更に、下地板７ａ，７ｂが合板で、内装板１５が石膏ボードというように、振動特性の異なる異種材質を用いた積層構造にした場合は、遮音性能をより高いものにすることができる。
【００４０】
更に、本実施形態では、中骨４が、ワイヤー５…や、下地板７ａ，７ｂ、内装板１５と絶縁されて備えられているので、遮音性能が損なわれるがないのはもちろん、内装板１５に押し方向の強い力が作用した場合であっても、内装板１５は中骨４にクッション材１０を介して間接的に支えられて、大きな面外変形を生じるのを防ぐことができる。
【００４１】
しかも、内装板１５の面外変形は、張力を付与されたワイヤー５…によって一次的に阻止されるので、間仕切り壁１６において中骨４…は粗に分散させて設けることができ、中骨４…によって壁内空間部が狭く仕切られてしまうこともない。
【００４２】
また、本実施形態では、面外変形二次阻止材としての中骨４をワイヤー５…への張力付与手段として兼用しているので、簡素な構造で両機能をもたせることができる。
【００４３】
図６（イ）に示す第２実施形態は、間仕切りパネル１に開口部１８を備えさせると共に、該開口部１８を開閉する引き戸の収納部、即ち戸袋部１９を壁内空間部に設けたもので、張力を付与された下地線材としてのワイヤー５…に内装板を取り付ける構造としていることにより、戸袋部１９を、壁厚を大きくすることなく、また、内装板に面外変形を生じさせることもなく、壁内空間部に確保することができる。
【００４４】
以上に、本発明の実施形態を示したが、本発明はこれに限られるものではなく、発明思想を逸脱しない範囲で各種の変更が可能である。例えば、上記の実施形態では、ワイヤー５…が上下の水平枠２，３にわたされて張力を付与されている場合を示したが、図６（ロ）に示す第３実施形態のように、親ワイヤー５ａと子ワイヤー５ｂとを蜘蛛の巣状に張って各ワイヤーに張力を付与したものであってもよく、ワイヤーは種々の方向に延ばされていてよい。
【００４５】
また、上記の実施形態では、手前側下地板７ａと奥側下地板７ｂとが、ワイヤー５…をサンドイッチ状態に挟んでビス等により接合されてワイヤー５…に取り付けられている場合を示したが、図６（ハ）に示す第４実施形態のように、下地板７を一層とし、該下地板７を、張力を付与されたワイヤー５…で前後方向から挟むようにしてワイヤー５…に取り付けるようにしてもよいし、図示しないが、下地板を一層とし、該下地板と内装板とがワイヤーをサンドイッチ状態に挟んでビス等により接合されてワイヤーに取り付けられていてもよい。
【００４６】
また、上記の実施形態では、下地線材としてワイヤーを用いた場合を示したが、各種の線材が用いられてよいし、下地板や内装板の材質、形態等についても制限はないし、下地線材への張力の付与は種々の方法で行われてよく、中骨による張力付与を行わない場合は中骨は省略されてもよい。
【００４７】
また、上記の実施形態では、一方の室側ともう一方の室側とにそれぞれワイヤー５…，５…が備えられている場合を示したが、第１発明では、いずれが一方の室側についてのみワイヤーを備えさせて内装板を取り付け、もう一方の室側には前記一方の室側とは絶縁させた間柱を立てて内装板を取り付けるなどの構成が採用されてもよい。
【００４８】
また、上記の実施形態では、遮音間仕切り壁に適用した場合を示したが、第５発明については、外壁側の内装壁の構造や、各種壁の構造に広く用いられてよい。
【図面の簡単な説明】
【００４９】
【図１】第１実施形態における遮音間仕切り壁用の間仕切りパネルを示すもので、図（イ）は図（ロ）のＩ−Ｉ線断面図、図（ロ）は正面図である。
【図２】図（イ）は中骨部分の拡大断面平面図、図（ロ）は図１（ロ）のＩＩ−ＩＩ線断面図、図（ハ）は間仕切りパネルの分解断面側面図である。
【図３】図（イ）及び図（ロ）は、図４（ハ）（ニ）と共に、遮音間仕切り壁の施工方法を順次に示す断面側面図である。
【図４】図（ハ）及び図（ニ）は、図３（イ）（ロ）と共に、遮音間仕切り壁の施工方法を順次に示す断面側面図である。
【図５】図（イ）は左右の間仕切りパネルを分離状態にして示す断面平面図、図（ロ）は両間仕切りパネルの接続部を拡大して示す断面平面図である。
【図６】図（イ）は第２実施形態の間仕切りパネルの取付け状態を示す一部断面正面図、図（ロ）は第３実施形態の間仕切りパネルにおけるワイヤーの取付け形態を示す正面図、図（ハ）は第４実施形態を示すもので、ワイヤーに対する下地板の取付け構造を示す一部断面斜視図である。
【符号の説明】
【００５０】
４…中骨（面外変形二次阻止材）
５…ワイヤー（下地線材）
７ａ…手前側下地板（下地板）
７ｂ…奥側下地板（下地板）
１３…一方の室
１４…もう一方の室
１５…内装板
１６…遮音間仕切り壁
【図１】
2007284888.tif 000003
【図２】
2007284888.tif 000004
【図３】
2007284888.tif 000005
【図４】
2007284888.tif 000006
【図５】
2007284888.tif 000007
【図６】
2007284888.tif 000008